(57)【要約】      （修正有）【課題】取付ねじの間隔及び取付具の厚さを変えることなく隙間をなくし電磁波の漏洩を減らす取付金具、折曲部の折り曲げ角度が開かない取付金具を採用した画像表示装置のシールドケース及び画像表示装置を提供する。【解決手段】ＰＤＰ表示装置１０のシールドケース２０は、電磁波発生体１１，１２を有するディスプレイユニット１１の前面以外を覆い、電磁波を遮蔽するフレーム１３と、ディスプレイユニット１１の前面に配され、電磁波遮蔽効果を有する導電フィルム１７が貼られた保護パネル１と、導電フィルム１７に接触し、保護パネル１をフレーム１３に取り付ける取付具１５と、を有している。【選択図】図３
2005249909.tif 000002
【特許請求の範囲】
【請求項１】
電磁波発生体を有する画像表示手段の前面以外を覆い、電磁波を遮蔽する筐体と、
前記画像表示手段の前面に配され、電磁波遮蔽効果を有する導電フィルムが貼られた保護パネルと、
前記導電フィルムに接触し、前記保護パネルを前記筐体に取り付ける取付手段と、
を有する画像表示装置のシールドケースにおいて、
前記取付手段は、当該取付手段の前記筐体への固定箇所から前記保護パネルの前方に伸びたアームを有し、
前記アームは、先端部が前記保護パネルの側に湾曲し、且つ、当該湾曲した先端部の外側面において前記保護パネルに接触する接触面を有し、
前記取付手段は、前記接触面において押し付け余力をもって前記保護パネルを前記筐体に取り付けている、
ことを特徴とする画像表示装置のシールドケース。
【請求項２】
請求項１に記載された画像表示装置のシールドケースにおいて、
前記アームには、前記保護パネル側に折り曲げられた２つの折曲部が形成され、且つ、当該折曲部の先に前記接触面が形成されている、
ことを特徴とする画像表示装置のシールドケース。
【請求項３】
請求項１又は請求項２に記載された画像表示装置のシールドケースにおいて、
前記接触面は複数に分割されている、
ことを特徴とする画像表示装置のシールドケース。
【請求項４】
請求項１乃至請求項３のいずれか一項に記載された画像表示装置のシールドケースにおいて、
前記取付手段はエンボス処理が施された取付面を有し、前記固定箇所において当該取付面を介して前記筐体に固定されている、
ことを特徴とする画像表示装置のシールドケース。
【請求項５】
請求項１乃至請求項４のいずれか一項に記載された画像表示装置のシールドケースにおいて、
前記保護パネルの下面に接触する第２の取付手段を更に有し、
前記第２の取付手段は、当該第２の取付手段の前記筐体への固定箇所から前記保護パネルの下面に向けて伸びた第２のアームを有し、
前記第２のアームには、先端部において前記筐体側から前記保護パネルの前面の向きへと凸型に湾曲した湾曲部が形成され、
前記第２の取付手段は、前記湾曲部の外側面に形成された第２の接触面を介して前記保護パネルの下面に接触している、
ことを特徴とする画像表示装置のシールドケース。
【請求項６】
請求項５に記載された画像表示装置のシールドケースにおいて、
前記第２の接触面は複数に分割されている、
ことを特徴とする画像表示装置のシールドケース。
【請求項７】
請求項５又は請求項６に記載された画像表示装置のシールドケースにおいて、
前記第２の取付手段はエンボス処理が施された第２の取付面を有し、前記固定箇所において当該第２の取付面を介して前記筐体に固定されている、
ことを特徴とする画像表示装置のシールドケース。
【請求項８】
請求項１乃至請求項７のいずれか一項に記載された画像表示装置のシールドケースを用いて、
前記保護パネルが前記筐体に取り付けられていることを特徴とする画像表示装置。
【発明の詳細な説明】
【技術分野】
【０００１】
本願は、画像表示装置のシールドケース及び画像表示装置の技術分野に属する。
【背景技術】
【０００２】
従来、電子機器から漏洩する電磁波を遮蔽する技術として、電磁波発生体全体を覆うシールドケースが知られていた。このようなシールドケースにおいて最も電磁波が漏洩し易いのは取り付けた部品同士の僅かな隙間であるが、この箇所での電磁波の漏洩を防ぐ技術としてねじ孔に着目して取り付け構造を改良することで漏洩電磁波を防ぐ技術が開示されていた（例えば、特許文献１参照）。
【特許文献１】特開２００２−２３２１８０号公報
【０００３】
例えば、プラズマディスプレイパネル（ＰＤＰ）のような画像表示装置の場合、デザインの観点から装置を不透明のカバーで覆うものの、表示画面は電磁波遮蔽効果を有する透明の保護パネルを採用するため、カバーと保護パネルとを同電位にして取り付けることが従来から行われてきた。
【０００４】
保護パネル１の従来の取り付けの断面図を図１に示す。
【０００５】
従来の取付具２では、ねじ締め付け箇所３から谷折り４、山折り５と折り曲げの向きを変えて保護パネル１に貼られた導電フィルム１７に接触させているので、運搬時の衝撃や経時変化によって折曲部４，５の折り曲げ角度が開き、保護パネル１への押し付け力が弱くなることがあった。一方、押し付け力を強いと電磁波の漏洩が少なく、押し付け力が弱いと漏洩が多いこともわかってきた。
【０００６】
保護パネル１の下部の従来の取り付けの断面図を図２に示す。
【０００７】
従来は、フレーム１３に突起部７を設け、保護パネル１の自重を突起部７で受けると共に、取付具２を保護パネル１の前面から押さえつけることで保護パネル１を取り付けていた。
【０００８】
しかしながら、この従来の取り付けによると、フレーム１３に設けられた突起部７と、前面から押さえる取付具２という異なる部品を用いている。また、前記と同様に、取付具２がねじ締め付け箇所３から谷折り４、山折り５と折り曲げの向きを変えて保護パネル１に接触させているので、折曲部４，５の折り曲げ角度が開いて保護パネル１への押し付け力が弱くなることがあった。
【０００９】
また、金属等導電性材料の取付具を用いて保護パネルを筐体に取り付けたとき、取付ねじの間隔が大きいとねじとねじとの間で取付具が浮いて隙間ができることがある。この隙間が電磁波漏洩の要因となっていた。
【発明の開示】
【発明が解決しようとする課題】
【００１０】
本願が解決しようとする課題のひとつは、折曲部４，５の折り曲げ角度が開かない、或いは、開いても保護パネル１への押し付け力が弱くならない取付具を採用した画像表示装置のシールドケース及び画像表示装置の提供が一例として挙げられる。
【００１１】
本願が解決しようとする課題の他のひとつは、折曲部４，５の折り曲げ角度が開かない取付具を採用した画像表示装置のシールドケース及び画像表示装置の提供が一例として挙げられる。
【００１２】
隙間を作らないようにするには、取付ねじの間隔を狭くする、或いは、取付具の材質を厚くして変形を防ぐことが考えられる。しかし、取付ねじの間隔を狭くすればねじの数が増えて装置製作時の作業工程が増え製造原価の上昇を招く。また、取付具を厚くすれば装置が重くなる。
【００１３】
本願が解決しようとする課題の更なるひとつは、取付ねじの間隔及び取付具の厚さを変えることなく、隙間をなくし電磁波の漏洩を減らす取付具を採用した画像表示装置のシールドケース及び画像表示装置の提供が一例として挙げられる。
【課題を解決するための手段】
【００１４】
以下、本願について説明する。なお、本願の理解を容易にするために添付図面の参照符号を括弧書きにて付記するが、それにより本願が図示の形態に限定されるものではない。
【００１５】
上記課題を解決するために、請求項１にかかる画像表示装置（１０）のシールドケース（２０）は、電磁波発生体（１１，１２）を有するディスプレイユニット等の画像表示手段（１１）の前面以外を覆い、電磁波を遮蔽するフレーム等の筐体（１３）と、画像表示手段（１１）の前面に配され、電磁波遮蔽効果を有する導電フィルム（１７）が貼られた保護パネル（１）と、導電フィルム（１７）に接触し、保護パネル（１）を筐体（１３）に取り付ける取付具等の取付手段（１５）と、を有し、取付手段（１５）は、取付手段（１５）の筐体（１３）への固定箇所から保護パネル（１）の前方に伸びたアーム（２５）を有し、アーム（２５）は、先端部が保護パネル（１）の側に湾曲し、且つ、湾曲した先端部の外側面において保護パネル（１）に接触する接触面（２１）を有し、取付手段（１５）は、接触面（２１）において押し付け余力をもって保護パネル（１）を筐体（１３）に取り付けている、ことを特徴とする。
【発明を実施するための最良の形態】
【００１６】
本願に係る画像表示装置のシールドケースの一実施の形態を、ＰＤＰ表示装置のシールドケースを例として図面を用いて説明する。図３は本願の一実施の形態に係るＰＤＰ表示装置１０の縦断面図であり、図４は本願の一実施の形態に係る取付具１５の斜視図である。
【００１７】
ＰＤＰ表示装置１０は、ディスプレイユニット１１と、ディスプレイユニット１１に映像信号および音声信号を供給する電気回路１２と、ディスプレイユニット１１と電気回路１２とを収納するフレーム１３と、ディスプレイユニット１１の前面に配された保護パネル１と、ディスプレイユニット１１及び電気回路１２の側面および背面を覆うカバー１４と、を備えている。保護パネル１は取付具１５及び下部取付具１６でフレーム１３に取り付けられている。フレーム１３と保護パネル１とカバー１４、取付具１５、下部取付具１６とでシールドケース２０を形成している。
【００１８】
ディスプレイユニット１１は、例えば、プラズマディスプレイパネルとスピーカとで構成され、映像信号と音声信号とを受けて映像と音声とを出力する。
【００１９】
電気回路１２は、装置全体に電力を供給する給電回路、プラズマディスプレイパネルの各セルに放電を起こさせる駆動回路、及び映像信号と音声信号とを送信する信号回路とにより構成され、ディスプレイユニット１１の背面に配置される。
【００２０】
フレーム１３は、例えば、亜鉛めっき鋼板又はステンレス鋼板を折り曲げて溶接することで構成され、装置の各ユニットを取り付けている。
【００２１】
保護パネル１は、例えば、基材であるガラスの表面に透明の導電フィルム１７が貼られ、側面には銅フィルム１８が貼られて構成されている。保護パネル１は透明であるからディスプレイユニット１１上に表示された映像を見られると共に、フレーム１３と同電位に保たれているので、電磁波の漏洩を防いでいる。
【００２２】
カバー１４は、例えばプラスチック或いは鋼板等で構成され、埃が装置内に入らないように電気回路１２を覆う他に、プラスチックの内側面には消磁用塗料が塗布されているので、電気回路１２が電磁波を放出して周囲の電子機器に影響を与えないよう防磁の役割を果たしている。
【００２３】
取付具１５及び下部取付具１６は、例えば、ステンレス鋼板を折り曲げて構成されており、フレーム１３にねじ止めされている。
【００２４】
ここで、例えば、本実施の形態におけるＰＤＰ表示装置１０は本願に係る画像表示装置を、ディスプレイユニット１１は本願に係る画像表示手段を、フレーム１３は本願に係る筐体を、保護パネル１は本願に係る保護パネルを、取付具１５は本願に係る取付手段を、下部取付具１６は本願に係る第２の取付手段を、導電フィルム１７及び銅フィルム１８は本願に係る導電フィルムを、シールドケース２０は本願に係るシールドケースを、ディスプレイユニット１１と電気回路１２は本願に係る電磁波発生体を、それぞれ構成する。
【００２５】
以上の構成を有するＰＤＰ表示装置１０のシールドケース２０の機能の概要を以下に説明する。
【００２６】
ＰＤＰ表示装置１０が通電されたとき、電気回路１２から電磁波が放出されることがある。この電磁波が装置周辺にある他の電子機器に悪影響を与えることがないように、電気回路１２の周囲をカバー１４で覆っている。
【００２７】
ディスプレイユニット１１では、ディスプレイパネルを構成する各発光セルの内部で放電を生じさせ発光（発色）させて画像を表示するので、ディスプレイユニット１１の前面では電磁波が放出している。この電磁波が装置前面に配置された他の電子機器の動作に悪影響を与えたり、視聴者の人体に届いたりすることがないよう、ディスプレイユニット１１の前面には透明な保護パネル１が設置され、電磁波が放出されないようになっている。
【００２８】
即ち、装置の側面及び背面から放出される電磁波はカバー１４によって遮られており、カバー１４を取り付けることができない装置前面には透明な保護パネル１で電磁波の放出を押さえている。
【００２９】
しかしながら、保護パネル１とフレーム１３、或いは、保護パネル１とカバー１４との取り付け部分に隙間があると、その隙間から電磁波が外部へ放出される。
【００３０】
図４に示す取付具１５では、フレーム１３との取付面２６にはエンボス処理がされている（図６）。図６に示すように、エンボス処理は縦横方向２次元に連続になされ、エンボスの突起部は多数ある。このエンボス処理により、フレーム１３と取付具１５とは多数の突起部で点接触している。
【００３１】
上記実施の形態は以下の効果を有する。
●  取付具１５の取付面２６にエンボス処理を施すことにより、取付具１５の変形（反り返り）が減る。よって、フレーム１３との間の隙間が小さくなり、電磁波の漏洩が少なくなる。
●  取付面２６にはエンボス処理が施されているので、取付具１５とフレーム１３との間の隙間にエンボスの突起部が出ている。よって、この突起部が隙間を小さくするので、電磁波の漏洩が少なくなる。
●  取付ねじを締め付けることで取付面２６上の突起部がつぶされるので、フレーム１３と取付具１５とは多数の箇所で接触し、隙間は小さくなる。よって、電磁波の漏洩は少なくなる。
●  取付具１５にエンボス処理を施すことで電磁波の漏洩が少なくなるので、取付ねじを増やす必要はない。また、取付具１５の板厚を厚くする必要もない。よって、装置製作時の作業工程が増えることはなく、又、装置が重くなることもない。
【００３２】
なお、このエンボスの突起部の大きさ、高さ、間隔、密度等は、上記効果を検証しつつ実験により決定される。
【００３３】
次に、取付具１５の折り曲げ形状を図３及び図４を用いて説明する。
【００３４】
図３及び図４に示すように、取付具１５は、ねじ止め箇所から折部２４で折り曲げられ保護パネル１の前面方向に伸びた撓み部２５を有する。撓み部２５は、保護パネル１の前方において、保護パネル１の側に折り曲げられた２つの折曲部２３，２２を有し、折曲部２３，２２の更に先に折曲部２３，２２の折り曲げ方向と同じ側に湾曲した湾曲部を有する。湾曲部の外側面は、押し付け余力を持って保護パネル１に接触する接触面２１を形成している。湾曲部には多数の切り込みが入れられ、多数の接触面２１が形成されている。
【００３５】
取付具１５は凸型に湾曲した接触面２１を介して保護パネル１に接触している。より詳しく述べれば、取付具１５は、保護パネル１が取り付けられる前の段階では、保護パネル１側に僅かに曲がっている。そして、保護パネル１が取り付けられたとき、撓み部２５が僅かに撓んで保護パネル１を取り付けている。
【００３６】
かかる形状を有する取付具１５においては、装置の運搬時や経時変化によって折曲部２２，２３の折り曲げ角度が開く向きに力が働いたとき、接触面２１は保護パネル１に接触しているので、接触面２１から折曲部２２，２３を開く力に抗する力が働くことになる。よって、保護パネル１を押す力は一定に保たれると共に、取付具１５の形状が保たれることになる。
【００３７】
ここで、例えば、本実施の形態における接触面２１は本願に係る接触面を、折曲部２２，２３は本願に係る折曲部を、撓み部２５は本願に係るアームを、取付面２６は本願に係る取付面を、それぞれ構成する。
【００３８】
上記実施の形態は以下の効果を有する。
●  取付具１５と保護パネル１との押し付け力を一定に保つことができるので、電磁波の漏洩を防ぐ効果も経時変化することなく、一定に保つことができる。
●  取付具１５は撓み部２５の押し付け余力をもって保護パネル１を取り付けているので、取付具１５が保護パネル１を押す力は一定であり、且つ、余力を有している。
●  取付具１５は保護パネル１をフレーム１３に押し付けて取り付けているので、取付具１５と保護パネル１との熱膨張率の相違に基づく応力を吸収することができる。
●  取付具１５は切り込みによって形成された多数の接触面２１で保護パネル１を取り付けているので、取付具１５と保護パネル１との接触箇所が波状にうねっても、多数の位置での接触が確保できる。
●  取付具１５は、凸型に湾曲した外側の接触面２１を介して保護パネル１に接触している。接触部において点接触をしていないので、保護パネル１に応力集中は生じない。
【００３９】
なお、上記実施の形態は、上記に限定されるものではなく、例えば以下のように変形してもよい。
○  上記実施の形態では、取付具１５は、２つの折曲部２３，２２と、湾曲した接触面２１とを有する構成としたが、これに限定されるものではない。図７（ａ）に示すように、撓み部２５ａから保護パネル１との接触面までを連続して湾曲した形状としても良い。また、図７（ｂ）に示すように、２つの折曲部２３ｂ，２２ｂをＲを有する曲部とした形状としても良い。
【００４０】
次に、保護パネル１の下部の取り付けを図３及び図５を用いて説明する。図５は下部取付具１６の斜視図である。
【００４１】
下部取付具１６は、第２のアーム３６と、第２のアーム３６から連続して凸型に湾曲した湾曲部とを有した形状である。下部取付具１６は、湾曲部の外側面が形成する接触面３１を介して保護パネル１の下面に接触している。湾曲部には多数の切り込みが入れられ、多数の接触面３１が形成されている。第２のアーム３６の取付面はエンボス処理がなされ、ねじ穴が空いている。
【００４２】
保護パネル１は垂直に立てられてフレーム１３に取り付けられている。保護パネル１の側面（下面）には銅フィルム１８が貼られ、保護パネル１は下面において下部取付具１６の接触面３１に接触している。
【００４３】
ここで、例えば、本実施の形態における接触面３１は本願に係る第２の接触面を、第２のアーム３６は本願に係る第２のアームを、第２のアーム３６の保護パネル１側の取付面は本願に係る第２の取付面を、それぞれ構成する。
【００４４】
上記実施の形態は以下の効果を有する。
●  保護パネル１の自重により、保護パネル１は下部取付具１６に接触している。よって、電磁波の漏洩を防ぐ効果も経時変化することなく、一定に保つことができる。
●  下部取付具１６は凸型に湾曲しているので、保護パネル１の自重を長期間受けて変形しても凸型湾曲の形状は保たれるので、保護パネル１と下部取付具１６との押し付け力は一定に保つことができる。よって、電磁波の漏洩を防ぐ効果も経時変化することなく、一定に保つことができる。
●  下部取付具１６は保護パネル１に接触しているので、下部取付具１６と保護パネル１との熱膨張率の相違に基づく応力を吸収することができる。
●  下部取付具１６は切り込みによって形成された多数の接触面３１で保護パネル１に接触しているので、下部取付具１６と保護パネル１の接触箇所が波状にうねっても、多数の位置での接触が確保できる。
●  下部取付具１６は、凸型に湾曲した外側の接触面３１を介して保護パネル１に接触している。よって、接触部において点接触をしていないので、保護パネル１に応力集中は生じない。
【図面の簡単な説明】
【００４５】
【図１】図１は保護パネルの従来の取り付けを示す断面図である。
【図２】図２は保護パネルの下部の従来の取り付けを示す断面図である。
【図３】図３は本願の一実施の形態に係るＰＤＰ表示装置の縦断面図である。
【図４】図４は本願の一実施の形態に係る取付具の斜視図である。
【図５】図５は本願の一実施の形態に係る下部取付具の斜視図である。
【図６】図６は本願の一実施の形態に係る取付具の取付面に施されたエンボス処理の状態を示す図である。
【図７】図７は本願の取付具の変形例を示す断面図である。
【符号の説明】
【００４６】
１：保護パネル
１０：ＰＤＰ表示装置
１１：ディスプレイユニット
１２：電気回路
１３：フレーム
１４：カバー
１５，１５ａ，１５ｂ：取付具
１６：下部取付具
１７：導電フィルム
１８：銅フィルム
２０：シールドケース
２１：接触面
２２，２３：折曲部
２２ｂ，２３ｂ：曲部
２５，２５ａ，２５ｂ：撓み部
２６：取付面
３１：接触面
３６：第２のアーム
【図１】
2005249909.tif 000003
【図２】
2005249909.tif 000004
【図３】
2005249909.tif 000005
【図４】
2005249909.tif 000006
【図５】
2005249909.tif 000007
【図６】
2005249909.tif 000008
【図７】
2005249909.tif 000009